(57)【要約】【課題】  デスクトップ型のコンピュータ装置の設置環境や使い勝手を向上させる。【解決手段】  コンピュータ装置１を構成する筐体として、インターフェイス入出力部１２〜１６が配置された上部筐体２と、上部筐体２の下部に接続された下部筐体３とで構成し、上部筐体２と下部筐体３との接続部には段差部を有する構成とし、例えば下部筐体３を机の上面に設けられた収納スペースに落とし込むようにして本体を配置することで、上部筐体と下部筐体との接続部の段差部が、その収納スペースの縁に載せられ、上部筐体２だけが机の上面から突出した状態で配置できるようになる。【選択図】      図１
2006221277.tif 000002
【特許請求の範囲】
【請求項１】
所定の筐体に収納されたコンピュータ装置において、
前記筐体として、インターフェイス入出力部が配置された上部筐体と、
前記上部筐体の下部に接続された下部筐体とで構成し、
前記上部筐体と前記下部筐体との接続部には段差部を有することを特徴とする
コンピュータ装置。
【請求項２】
請求項１記載のコンピュータ装置において、
前記下部筐体は、所定の収納部に収納できる形状としたことを特徴とする
コンピュータ装置。
【請求項３】
請求項１記載のコンピュータ装置において、
前記下部筐体に、接続を変更する頻度の低いインターフェイス入出力部及び電源入力端子を配置したことを特徴とする
コンピュータ装置。
【発明の詳細な説明】
【技術分野】
【０００１】
本発明は、デスクトップ型パーソナルコンピュータ装置に適用して好適なコンピュータ装置に関する。
【背景技術】
【０００２】
従来、机などの上に設置して使用される、いわゆるデスクトップ型のパーソナルコンピュータ装置は、そのコンピュータ装置を構成する筐体の形状から、大きく分けて次の４つに分類されている。
１．タワー型コンピュータ装置
２．スリム型コンピュータ装置
３．キューブ型コンピュータ装置
４．ディスプレイ一体型コンピュータ装置
【０００３】
タワー型コンピュータ装置は、広いスペースを持ち合わせていることからパーソナルコンピュータ装置用の追加機器を接続（内蔵）させることが可能で、拡張性を高くすることが可能である。しかし、そのために筐体が非常に大きく、机の上には置かれにくく、収納性が悪い。
【０００４】
スリム型コンピュータ装置は、タワー型に比べ、拡張性を抑えることで大きさを小さくしているが、高さ方向やドライブを本体においていることから、それなりにサイズが大きい。
【０００５】
キューブ型コンピュータ装置は、最小限のサイズの筐体で構成されており、拡張性には乏しいが、サイズがさほど大きくないことから机上に置かれる機会が多い。しかしながら、机の上に置くことでスペースをとってしまい、モニター等の外部表示機器を置くスペースを必要とする。
【０００６】
ディスプレイ一体型コンピュータ装置は、ディスプレイと一体であるため、ディスプレイだけを置く場合にくらべて若干のスペースを必要とする程度で設置でき、省スペースに収められているが、ディスプレイサイズを変更することができない、文字入力装置や使用頻度の多い光ディスク読書き装置への接続がしづらい。
【０００７】
このように従来のデスクトップ型のパーソナルコンピュータ装置は、その外形形状に関してそれぞれ一長一短があり、特に机などの上に設置して使用する上で、必ずしも使いやすい形状とは言えなかった。
【０００８】
特許文献１には、机と一体化されたパーソナルコンピュータ装置についての提案がある。
【特許文献１】特開平１１−４７２０号公報
【発明の開示】
【発明が解決しようとする課題】
【０００９】
特許文献１に記載された机と一体化されたデスク一体型コンピュータ装置の場合には、机の引出し等の中に、コンピュータ装置を構成する各部が収納され、確かに机以外の余計なスペースが必要ない。ところが、机と一体化されているため、基本的に机から取り外すことは困難であり、拡張性やコンピュータ装置本体の交換などがあまり考慮されてなく、通常のデスクトップ型コンピュータ装置とは別の意味で使い勝手が悪い問題がある。
【００１０】
本発明はかかる点に鑑みてなされたものであり、デスクトップ型のコンピュータ装置の設置環境や使い勝手を向上させることを目的とする。
【課題を解決するための手段】
【００１１】
本発明は、コンピュータ装置を構成する筐体として、インターフェイス入出力部が配置された上部筐体と、上部筐体の下部に接続された下部筐体とで構成し、上部筐体と下部筐体との接続部には段差部を有する構成としたものである。
【００１２】
このようにしたことで、例えば下部筐体を机の上面に設けられた収納スペースに落とし込むようにして本体を配置することで、上部筐体と下部筐体との接続部の段差部が、その収納スペースの縁に載せられ、上部筐体だけが机の上面から突出した状態で配置できるようになる。
【発明の効果】
【００１３】
本発明によると、例えば下部筐体を机の上面に設けられた収納スペースに落とし込むようにして本体を配置することで、上部筐体と下部筐体との接続部の段差部が、その収納スペースの縁に載せられ、上部筐体だけが机の上面から突出した状態で配置することができる。従って、上部筐体として、インターフェイス入出力部などの最低限のものを配置した小型形状とすることで、ユーザが目にする部分は、非常に小型にすることができ、机の上面のスペースを有効活用できる配置ができる。
【００１４】
この場合、下部筐体に、接続を変更する頻度の低いインターフェイス入出力部及び電源入力端子を配置したことで、例えばＬＡＮケーブルや電源ケーブルなどの接続部が、収納状態で外側から見えない状態で配置でき、各種ケーブルなどが目立たないスマートな設置が可能になる。
【発明を実施するための最良の形態】
【００１５】
以下、本発明の一実施の形態を、添付図面を参照して説明する。本例においては、デスクトップ型のコンピュータ装置に適用した例としたものである。
【００１６】
図１は、本例のパーソナルコンピュータ装置１の形状の例を示した図である。本例においては、パーソナルコンピュータ装置１本体を構成する筐体として、上部筐体２と下部筐体３とを一体に接続した構造としてある。上部筐体２は、四角形の箱型で、薄型に形成させてある。下部筐体３は、水平方向の断面積を上部筐体２よりも小さくした四角形の箱型で、高さについては上部筐体２よりも大きく設定してある。水平方向の断面積を、上部筐体２よりも下部筐体３の方を小さくしたために、上部筐体２と下部筐体３との接合部には、段差部２ａ，２ｂが形成される。
【００１７】
上部筐体２には、比較的使用頻度の高いインターフェイス入出力部が配置してある。即ち、図１に示すように、インターフェイス入出力部として、上部筐体２の側面に、ＵＳＢ（Universal Serial Bus）ポート１３、ディスプレイ用ポート１４、キーボード用ポート１５、マウス用ポート１６が配置してある。これらの各ポートには、対応した機器と接続されたケーブルのプラグが接続される。また、上部筐体２の正面には、電源スイッチ１１とディスクトレイ１２と、カードスロット２８とが配置してある。ディスクトレイ１２は、ＣＤ又はＤＶＤなどの光ディスクを装着するトレイである。カードスロット２８は、ＰＣＭＣＩＡ規格のカードなどが装着されるスロットである。
【００１８】
下部筐体３には、底面に、接続を変更する頻度の低いインターフェイス入出力部としてのＬＡＮ（Local Area Network）ポート１７と、電源入力端子１９を配置してある。ＬＡＮポート１７には、ＬＡＮケーブル５１が接続され、電源入力端子１９には、電源ケーブル５２が接続される。なお、電源ケーブル５２としては、交流電源コンセントに接続される電源ケーブルとして、コンピュータ装置１に商用交流電源が供給される構成としてもよいが、いわゆるＡＣアダプタで変圧・整流された直流電源が供給されるケーブルとしてもよい。
【００１９】
図２は、本例のパーソナルコンピュータ装置１の内部構成例を示した図である。コンピュータ装置１の内部には、チップセット２１が配置してあり、そのチップセット２１に演算制御部２２及びメモリ２３が接続してあり、演算制御部２２内のＣＰＵ（Central Processing Unit）が、キャッシュメモリなどを使用して、演算処理を行って、各種制御処理を行う。また、ＡＧＰ（Accelerated Graphics Port）バスでビデオカードなどを接続するためのＡＧＰスロット２６と、ＰＣＩ（Peripheral Component Interconnect）規格の各種ボードを接続するためのＰＣＩスロット２７と、カードスロット２８とを備え、各スロット２６，２７、２８に接続されたボードやカードなどがチップセット２１側と接続される。また、ハードディスクドライブ２４と光ディスクドライブ２５とを備えて、演算制御部２２側からの制御で、記憶データの読み出しやデータの書込みなどが行われる。図１に示したＵＳＢポート１３やその他のポート１４〜１６についても、チップセット２１を介してデータ転送が行える構成としてある。
【００２０】
次に、このように構成される本例のパーソナルコンピュータ装置１の設置例を、図３以降を参照して説明する。図３は、本例のパーソナルコンピュータ装置１が設置される机８０の例を示した図である。机８０の天板で構成される上面８１には、コンピュータ装置設置用凹部８２が後方の中央に設置してある。この凹部８２は、パーソナルコンピュータ装置１の下部筐体３より若干大きなサイズとしてある。但し、深さについては下部筐体３の高さよりも大きくしてあり、電源ケーブル５２などを接続する余裕を確保してある。
【００２１】
本例のパーソナルコンピュータ装置１を設置する際には、図３に示すように、このパーソナルコンピュータ装置１と接続される各機器を用意して、コンピュータ装置１と接続しておく。即ち、例えば、キーボード９１とマウス９２とディスプレイ９３とを用意して、それぞれのケーブルをコンピュータ装置１の対応したポート１５，１６，１４に接続する。なお、これらのケーブルの接続は、コンピュータ装置１の設置後でもよい。そして、パーソナルコンピュータ装置１の下部筐体３を、机８０の上面８１の凹部８２に落とし込むようにして設置する。
【００２２】
図４は、パーソナルコンピュータ装置１を設置させる際の、凹部８２との位置関係を、凹部８２を断面にして示す図である。凹部８２の底部には、ケーブル用透孔８３が設けてあり、設置時にはこのケーブル用透孔８３に、下部筐体３側に接続されたケーブルである、電源ケーブル５２やＬＡＮケーブル５１を通過させる。このようにケーブルを通過させた状態で、下部筐体３を凹部８２に落とし込むようにして収納させ、上部筐体２と下部筐体３との段差部２ａ，２ｂを、机８０の上面８１と接触させる。
【００２３】
図５は、このようにして机８０の上に設置された状態を示した図である。図５に示すように、収納された状態では、パーソナルコンピュータ装置１は、コンピュータ装置を使用する上で必要な入出力インターフェイス部としてのポート、ディスクトレイ、カードスロットなどが配置された薄型の上部筐体２だけが見えた状態となっており、下部筐体３は完全に隠れた状態となっている。従って、従来のデスクトップ型のコンピュータ装置のように、机の上に大型の筐体が載せられることがなく、机８０の上面のスペースを有効に活用できる。
【００２４】
また、電源ケーブルやＬＡＮケーブルなどのように、通常の使用状態でケーブルを抜き差しする頻度が非常に少ないケーブル用のポートや端子を、下部筐体３側に設けたので、これらのケーブルは、収納状態では外部から全く見えず、不要なケーブルが見えないスマートな設置ができる。
【００２５】
なお、図２に示したコンピュータ装置の内部構成については一例を示したものであり、この例に限定されるものではない。例えば、ハードディスクドライブ２４については、この種のコンピュータ装置で一般的に使用される３．５インチの磁気ディスクを使用したドライブの代わりに、１．８インチなどの小型の磁気ディスクを使用したドライブとしてもよい。また、光ディスクドライブ２５については、使用用途に合わせて、読み出し専用のもの、書込み可能なもの、高速読み出し（書込み）可能なものなどの種々のものを使用可能である。
【００２６】
筐体の形状についても、図１などに示した構成は、一例を示したものであり、上部筐体と下部筐体とを接合した形状とした上で、両筐体の間に段差部を設けて、その段差部で設置時に保持される形状であれば、その他の形状としてもよい。
【００２７】
また、上述した実施の形態では、上部筐体と下部筐体とは、一体に接合された形状としたが、例えば上部筐体を下部筐体に対して可動できる構成として、設置状況に応じて上部筐体の設置位置を変えることができるようにしてもよい。
【図面の簡単な説明】
【００２８】
【図１】本発明の一実施の形態による装置構成例を示す斜視図である。
【図２】本発明の一実施の形態による装置の内部構成例を示すブロック図である。
【図３】本発明の一実施の形態による装置が設置される机の例を示した説明図である。
【図４】本発明の一実施の形態による設置状態を側面から見た説明図である。
【図５】本発明の一実施の形態による装置の設置例を示した説明図である。
【符号の説明】
【００２９】
１…パーソナルコンピュータ装置、２…上部筐体、２ａ，２ｂ…段差部、３…下部筐体、１１…電源スイッチ、１２…ディスクトレイ、１３…ＵＳＢポート、１４…ディスプレイ用ポート、１５…キーボード用ポート、１６…マウス用ポート、１７…ＬＡＮポート、１８…電源端子、２１…チップセット、２２…演算制御部、２３…メモリ、２４…ハードディスクドライブ、２５…光ディスクドライブ、２６…ＡＧＰスロット、２７…ＰＣＩスロット、２８…カードスロット、５１…ＬＡＮケーブル、５２…電源ケーブル、８０…机、８１…上面、８２…コンピュータ装置設置用凹部、８３…ケーブル用透孔、９１…キーボード、９２…マウス、９３…ディスプレイ
【図１】
2006221277.tif 000003
【図２】
2006221277.tif 000004
【図３】
2006221277.tif 000005
【図４】
2006221277.tif 000006
【図５】
2006221277.tif 000007